(57)【要約】【課題】  ユーザによる用途のカスタマイズを可能とし、かつ、複数の機能を継続的とすること。【解決手段】  各々が単一物を構成していて、かつ、外観が相互に関連する形状である複数のパーツ５０，６０，７０，８０を、相互に連結してなる組立式構造体であって、各パーツ５０，６０，７０，８０を着脱可能な支柱９０と、支柱９０の使用時に下端となる位置に設けられている土台９５とを備え、各パーツ５０，６０，７０，８０は、支柱９０を介して連結される。【選択図】図２
2006175687.tif 000002
【特許請求の範囲】
【請求項１】
各々が単一物を構成していて、かつ、外観が相互に関連する形状である複数のパーツを、相互に連結してなる組立式構造体であって、
前記各パーツは、凹部又は凸部が形成されていて、対応する凸部又は凹部に装着することで、相互に連結していることを特徴とする組立式構造体。
【請求項２】
各々が単一物を構成していて、かつ、外観が相互に関連する形状である複数のパーツを、相互に連結してなる組立式構造体であって、
前記各パーツは、磁石と、当該磁石が収容される前記磁石が回転可能な大きさの溝部とを有し、
一方の前記パーツと他方の前記パーツとを連結する際に各磁石が回転して、一方の前記パーツに収容されている磁石の第１の極側と、他方の前記パーツに収容されている磁石の第２の極側とが対向することで、相互に引き合うようにしていることを特徴とする組立式構造体。
【請求項３】
各々が単一物を構成していて、かつ、外観が相互に関連する形状である複数のパーツを、相互に連結してなる組立式構造体であって、
前記各パーツを着脱可能な支柱を備え、前記各パーツは、当該支柱を介して連結されることを特徴とする組立式構造体。
【請求項４】
前記各パーツと前記支柱とが、磁力、粘着力、把持力又は摩擦力を利用する着脱機構を有する請求項３記載の組立式構造体。
【請求項５】
前記各パーツは、前記支柱への取り付け位置付近に形成された溝部と、前記溝部に取り付けられた磁石とを有し、
前記支柱は、前記磁石との磁力に作用する材料から成る請求項３又は４記載の組立式構造体。
【請求項６】
前記各パーツは、前記支柱への取り付け位置付近に形成された溝部と、前記溝部に取り付けられていて前記支柱を把持する把持部とを有する請求項３又は４記載の組立式構造体。
【請求項７】
前記複数のパーツは、前記支柱を通す支柱通しと、前記支柱通し内の支柱を固定するための固定部とを有する請求項３又は４記載の組立式構造体。
【請求項８】
さらに、前記支柱の使用時に下端となる位置に設けられている土台、又は、前記支柱の両端に対応する位置に設けられている壁、窓への取付機構を備える請求項３から７のいずれか記載の組立式構造体。
【請求項９】
前記支柱は円柱であり、前記複数のパーツが当該支柱に対して相互に異なる向きで取り付け可能である請求項３から８のいずれか記載の組立式構造体。
【請求項１０】
請求項１から９のいずれか記載の組立式構造体に用いられるパーツであって、
ペン立て、クリップ入れ、メモ用紙入れ、ペーパーホルダー、テープカッターを有するテープ入れを含む文具入れ、
ステープラー、はさみ、ペンセット、ペーパーウェイト、鉛筆削り、パンチ、海綿を含む文具、
時計、カレンダー又は照明器具、
種々の調味料を収容する調味料入れ、
花を含む装飾品を収容する装飾品入れ、
チューナー、アンプ、プレーヤー、スピーカーを含むコンポーネントのうちのいくつかであることを特徴とするパーツ。
【発明の詳細な説明】
【技術分野】
【０００１】
本発明は、文具入れ、文具、時計、カレンダー、照明器具、調味料入れなどを構成するパーツと、それを備える組立式構造体に関する。
【背景技術】
【０００２】
従来、特許文献１には、ペン立てなどの文房具、カレンダー、商品の取り扱い説明書などの印刷物を共用できる多用途の構造として、等しい大きさの立方体に形成された八個の箱本体が、所定の一辺同士およびその一辺に隣り合わないとともにその一辺と直角な方向の他の二辺のうちの一辺で、連結紙によって回動可能に連続的に連結され、所定の箱体にペン立て孔を形成し、連結紙にカレンダー文字を印刷した組立構造が記載されている。
【０００３】
【特許文献１】特開平１１−２３７８４２号公報
【発明の開示】
【発明が解決しようとする課題】
【０００４】
しかし、特許文献１に記載されている組立構造は、その用途をユーザがカスタマイズすることができず、メーカ側が用意した、文房具、カレンダー、取り扱い説明書、写真集、販促用印刷物等に限定される。したがって、ユーザが、組立構造の用途として、例えば時計をオプション的に組み込みたいと考えても、それを実行することができない。
【０００５】
また、特許文献１に記載されている組立構造に、カレンダー及びペン立ての機能を備えた場合を想定した場合、カレンダーとしての機能が終了すると、上記組立構造は、ペン立てとしてしか機能しなくなる。これでは、この組立構造に、カレンダー及びペン立ての双方の機能を備えたにもかかわらず、その効果は一時的なものにしかならない。
【０００６】
そこで、本発明は、ユーザによる用途のカスタマイズを可能とし、かつ、複数の機能を継続的とすることを課題とする。
【課題を解決するための手段】
【０００７】
上記課題を解決するために、本発明は、各々が単一物を構成していて、かつ、外観が相互に関連する形状である複数のパーツを、相互に連結してなる組立式構造体であって、前記各パーツは、凹部又は凸部が形成されていて、対応する凸部又は凹部に装着することで、相互に連結していることを特徴とする。
【０００８】
また、本発明は、各々が単一物を構成していて、かつ、外観が相互に関連する形状である複数のパーツを、相互に連結してなる組立式構造体であって、前記各パーツは、磁石と、当該磁石が収容される前記磁石が回転可能な大きさの溝部とを有し、一方の前記パーツと他方の前記パーツとを連結する際に各磁石が回転して、一方の前記パーツに収容されている磁石の第１の極側と、他方の前記パーツに収容されている磁石の第２の極側とが対向することで、相互に引き合うようにしていることを特徴とする。
【０００９】
さらに、本発明は、各々が単一物を構成していて、かつ、外観が相互に関連する形状である複数のパーツを、相互に連結してなる組立式構造体であって、前記各パーツを着脱可能な支柱を備え、前記各パーツは、当該支柱を介して連結されることを特徴とする。
【００１０】
本発明により、ユーザが、例えば、ペン立て、クリップ入れ、ペーパーホルダー、テープカッターのそれぞれを構成するパーツを選択して、文具入れセットを組み立てることが可能となる。また、こしょう入れ、砂糖入れ、塩入れなどのそれぞれを構成するパーツを選択して調味料入れセットを組み立てることも可能になる。さらには、チューナー、アンプ、ＣＤ／ＭＤプレーヤー、スピーカーなどを選択してコンポーネントを組み立てることも可能になる。さらにまた、複数の鉢を構成するパーツを選択して、ガーデニングセットを組み立てることも可能となる。このように、カスタマイズに優れ、かつ、複数機能が継続的となる組立式構造体を提供することが可能になる。
【００１１】
前記各パーツを、前記支柱を介して連結する場合には、前記各パーツと前記支柱とが、磁力、粘着力、把持力又は摩擦力を利用して着脱できるようにしている。具体的には、前記各パーツが、前記支柱への取り付け位置付近に形成された溝部と、前記溝部に取り付けられた磁石とを有する構成とし、前記支柱は、前記磁石との磁力に作用する材料とする。こうすると、磁力を利用して各パーツを、支柱に取り付けることができるし、その取り外しも容易となる。
【００１２】
これに代えて、前記各パーツが、前記支柱への取り付け位置付近に形成された溝部と、前記溝部に取り付けられていて前記支柱を把持する把持部とを有する構成とする。こうすると、前記パーツとして、磁石のそばに置くことが好ましくない腕時計などを収容する腕時計入れを提供することも可能になる。
【００１３】
この他に、前記各パーツが、前記支柱を通す支柱通しと、前記支柱通し内の支柱を固定するための固定部とを有する構成としてもよい。こうすると、前記パーツとして、パーツに入れる収容物が重くても、当該パーツが支柱から脱落しにくくすることが可能になる。
【００１４】
さらに、前記支柱の使用時に下端となる位置に設けられている土台、又は、前記支柱の両端に対応する位置に設けられている壁、窓への取付機構を備えることもできる。土台を備えると、組立式構造体を例えば卓上で使用することが可能になる。この際、支柱の下端が土台となるため、組立式構造体の立体的配置が可能となり、省スペース化が実現できる。一方、取付機構を備えると、支柱が垂直方向、水平方向、斜め方向のいずれの態様でも、壁等に取り付けることができる。この場合、カレンダー、時計、調味料入れ、ライトなどのパーツが適している。
【００１５】
前記支柱は円柱であり、前記複数のパーツが当該支柱に対して相互に異なる向きで取り付け可能としてもよい。こうすると、支柱取り付け時におけるパーツ間の距離を稼げるので、多くのパーツを取り付けすることができる。特に、組立式構造体を例えば卓上で使用する場合には、各パーツを支柱に対して放射状に配置すれば、重心が偏らないようになり、組立式構造体が転倒することを防止できる。
【００１６】
また、本発明のパーツは、上記組立式構造体に用いられるパーツであって、
ペン立て、クリップ入れ、メモ用紙入れ、ペーパーホルダー、テープカッターを含む文具入れ、
ステープラー、はさみ、ペンセット、ペーパーウェイト、鉛筆削り、パンチ、海綿を含む文具、
時計、カレンダー又は照明器具、
種々の調味料を収容する調味料入れ、
花を含む装飾品を収容する装飾品入れ、
チューナー、アンプ、プレーヤー、スピーカーを含むコンポーネントのうちのいくつかであることを特徴とする。
【００１７】
このように、支柱への着脱機構さえ有するという条件さえ具備すれば、ユーザのニーズに合わせて、所要の機能、用途を持たせたパーツを提供することが可能になる。
【発明を実施するための最良の形態】
【００１８】
以下、本発明の実施形態について図面を参照して説明する。なお、以下の各図は、発明の内容を容易に理解できるようにした模式図である。したがって、寸法、寸法比等は例示であり、これらに限定されるものではない。
【００１９】
（実施形態１）
図１は、本発明の実施形態１の組立式構造体１００を示す模式図である。図１には、複数のパーツ５０，６０，７０，８０を、支柱９０を介して相互に連結する、卓上タイプの組立式構造体１００を示している。
【００２０】
図１には、組立式構造体１００と、パーソナルコンピュータ２００と、複数のファイルや本３００とが、テーブル上に置かれている状態を示している。このように、本実施形態の組立式構造体１００は、コンパクトであり、テーブル上でさほどスペースを必要とせず、ペン、消しゴム、名刺などを収容することが可能である。
【００２１】
図２は、図１に示す卓上タイプの組立式構造体の斜視図である。図２には、消しゴム、メモ用紙などの小物入れパーツ５０と、裏蓋に例えば磁石が取り付けられているクリップ入れパーツ６０と、鉛筆、シャープペンシル、マーカペン、万年筆、ボールペンなどのペンを収容するペン立てパーツ７０と、名刺、メモ用紙などの紙を把持するペーパーホルダーパーツ８０と、各パーツ５０，６０，７０，８０が着脱可能な支柱９０と、支柱９０の使用時に下端となる位置に設けられている土台９５とを示している。各パーツ５０等は、支柱９０に着脱可能であるため、自由に高さ調節することもできるし、後述するように、支柱９０が円柱タイプであれば、回動させることもできる。
【００２２】
パーツ５０，６０，７０，８０は、例えば、球状、半球状、立方体、直方体など種々な形状の外観とすることができる。ここで、パーツ５０等は同形状としているが、相互に関連する形状であればよい。関連する形状とは、段階的に断面が真円から楕円へと変化するパーツのコンビネーション、球状と半球状とのコンビネーション、更にはこれらと大きさが同程度の立方体または直方体とのコンビネーションなどを含む。パーツ５０等の材料は、プラスチック、木、アルミニウムなどを材料として選択可能である。パーツ５０等は、支柱９０からの脱落防止、更に脱落時の自損防止などのため、軽量であることが好ましい。パーツ５０等のサイズは、例えば、図示するような半球状の場合には、直径が３０〜１００ｍｍ程度とするとよい。
【００２３】
図３は、図２に示す小物入れパーツ５０の斜視図、平面図及び側面図である。小物入れパーツ５０は、支柱９０への着脱部５１と、着脱部５１に隣接して設けられている小物収容部５２と、小物収容部５２の中央に位置する小物受け５３と、支柱９０の直径に対応する深さの溝部５４とを有する。
【００２４】
小物入れパーツ５０のサイズは、直径Ｋが６２ｍｍ、高さＭが３１ｍｍ（直径Ｌが３１ｍｍの半球）である。小物入れパーツ５０の大半の厚さは、径Ａである３１ｍｍと径Ｂである３０ｍｍとの差分Ｊであり１ｍｍである。着脱部５１は、小物入れパーツ５０の下端から高さＮである８．７ｍｍの位置から、小物入れパーツ５０の上端まであり、その高さＮは２２．３ｍｍとなる。
【００２５】
また、直径に対応する長さＨは、溝部５４の形成により、若干短く、６１．９ｍｍとなる。そのうち、着脱部５１側の長さＦが９．４ｍｍ、小物収容部５２側の長さＧが５２．５ｍｍである。
【００２６】
着脱部５１に形成されている溝部５４は、端部間の長さＤが５．２ｍｍ、深さＰが２．５ｍｍ、直径が２．６ｍｍである。小物収容部５２には、径Ｃが２７ｍｍとなる部分を有する小物受け５３が形成され、小物収容部５２の厚さは、径Ｂである３０ｍｍと径Ｃである２７ｍｍとの差分Ｉであり３ｍｍである。
【００２７】
図４は、図２に示すクリップ入れパーツ６０の斜視図、平面図及び側面図である。クリップ入れパーツ６０は、支柱９０への着脱部６１と、着脱部６１に隣接して設けられているクリップ収容部６２と、クリップ収容部６２の上部に位置する蓋部６４とを有する。蓋部６４の裏には、既述のように、磁石が取り付けられている。このため、蓋部６４を持ち上げると、クリップ収容部６２に収容されているクリップが、この磁石にくっつくので、取り出しやすい。蓋部６４は、クリップ収容部６２の形状に対応しており、外径は、曲線部６４ｃと直線部６４ａとを含み、中央には取手部６４ｂが形成されている。
【００２８】
クリップ入れパーツ６０のサイズは、図３に示す小物入れパーツ５０と同様である。蓋部６４は、直線部６４ａから対向する端部までの長さＲが２８ｍｍ、これに直交する長さＱが３１ｍｍ、取手部６４ｂの径Ｓが１５ｍｍである。
【００２９】
図５は、図２に示すペン立てパーツ７０の斜視図、平面図及び側面図である。ペン立てパーツ７０は、支柱９０への着脱部７１と、着脱部７１に隣接して設けられているペン収容部７２とを有する。ペン収容部７２には、複数のペン受け用開口部７３が形成されている。ペン受け用開口部７３は、各々が相互に異なる大きさでもよいし、同じ大きさでもよい。
【００３０】
ペン立てパーツ７０のサイズも、図３に示す小物入れパーツ５０と同様である。ペン収容部７２のサイズは、図２に示す蓋部６４と同様である。ペン収容部７２のペン受け用開口部７３のサイズは、径Ｔは１２ｍｍである。
【００３１】
図６は、図２に示すペーパーホルダーパーツ８０の斜視図、平面図及び側面図である。ペーパーホルダーパーツ８０は、半球の端部に取り付けられている円状の平板部８１と、平板部８１に一端が取り付けられている硬鋼線から成る渦巻き状のカード収容部８２とを有する。ペーパーホルダーパーツ８０も支柱９０への着脱部を有している。
【００３２】
ペーパーホルダーパーツ８０のサイズも、図３に示す小物入れパーツ５０と同様である。平板部８１の径Ｘは６２ｍｍである。カード収容部８２は、最外部の径Ｖが５６．５ｍｍ、最内部の径Ｕが１１．６ｍｍ、高さＷが１５．５ｍｍである。
【００３３】
図７は、図２に示す支柱９０及び土台９５の平面図及び側面図である。支柱９０は、例えば、長さＦについて１０ｃｍ〜５０ｃｍ、直径Ｃについては３ｍｍ〜１０ｍｍの中から選択すればよい。ここでは、例えば、長さＦは２６７．５ｍｍ、直径Ｃは５ｍｍである。支柱９０の材料としては、鉄、金属、磁石などを用いることができる。形状は、円柱、四角柱、多角柱のいずれでもよい。パーツ５０の着脱部分は、支柱９０が角柱の場合には、平面部分と角部分とのいずれに取り付けられるように構成してもよい。また、支柱９０をゴムなどの粘着力が大きい材料で覆うことも可能である。
【００３４】
ここで、図７に示すように、支柱９０を円柱タイプにすれば、パーツ５０が、支柱９０に対して回動可能となる。このため、支柱９０に取り付けているパーツ間の距離を稼げるため、支柱９０には多くのパーツを取り付けることが可能になる。更には、組立式構造体１００の使用の際に、支柱９０に対するパーツの向きを変更できる。したがって、組立式構造体１００を卓上使用している場合には、組立式構造体１００全体の向きを変えることなく、例えば、図面奥側に位置する小物入れパーツ５０を図面手前に回動させることで、小物入れパーツ５０の収容物が取り出せるようになる。
【００３５】
土台９５は、ステンレス、木、鉄、ガラス、プラスチックなどを利用することができる。高さは３ｃｍ〜７ｃｍの間で選択すればよい。土台９５は、重さは、８０ｇ〜５００ｇ程度の間で選択すればよい。なお、土台９５と支柱９０との間の取り付けは、固着でもよいし、支柱９０が土台９５に対して回動可能にしてもよい。また、土台９５の形状については、パーツ５０等と異なり、これらと同形状とせずに、例えば平板状としてもよい。更には、土台９５は、底に、両面テープなどの粘着部や、吸盤部を設けてもよいし、ネジなどを用いてテーブル等に固着できるようにしてもよい。
【００３６】
このように、土台９５は、ある程度の重さがある方が、組立式構造体１００の転倒を防止することができるので好ましい。ここでは、土台９５も、種々のパーツ５０等と同形状としている。底部は径Ｈが６５ｍｍ、高さＣが３２．５ｍｍの半球状である。なお、土台９５にも、種々のパーツ５０等のように、本実施形態であれば文具等の機能を備えてもよい。土台９５には、海綿などのように使用時に力が掛かるものを割り当てることが好適である。こうすると、海綿の機能をパーツ５０等に備えるとすると、使用時に、当該パーツが支柱９０から外れないような着脱部を作成するという設計・製造工程における面倒さが軽減できる。
【００３７】
なお、図２等には、組立式構造体１００が、ペン立て、クリップ入れ、ペーパーホルダー、テープカッターなどを備える文具入れセットを構成している状態を示しているが、これに代えて、或いは、これと共に、パーツ５０等として、ステープラー、はさみ、ペンセットを含む文具セットを構成するようにしてもよい。要するに、パーツ５０等の対象となるものは、単一物であればよい。
【００３８】
さらには、文具に関するものばかりではなく、パーツ５０等として、各々が電池などを内蔵している、電子時計、電子カレンダー、ＬＥＤなどの照明器具などを選択してもよい。このような単一物を選択することは、特に、図１に示すような卓上タイプの組立式構造体１００の使用態様を考慮すると、好ましい。
【００３９】
また、組立式構造体１００は、キッチンやダイニングでの使用も可能である。具体的には、こしょう入れ、砂糖入れ、塩入れなどを備える調味料入れセットを構成することができる。
【００４０】
この他にも、例えば、時計、カレンダー、照明器具を選択する場合には、支柱９０の両端を９０度程度まげる又は当該両端に補助部材をつけるなどし、当該両端先端又は補助部材の先端に壁や窓に取り付けられるように取付部材を備えると、室内のオブジェとしての付加価値を備えたものを提供することができる。或いは、複数の鉢を構成するパーツを選択して、ガーデニングセットを組み立てれば、室内はもちろん、ベランダ・庭などの屋外での使用も可能になる。
【００４１】
図８は、図２に示す小物入れパーツ５０の分解斜視図である。図８に示すように、溝部５４には、開口部５４ａが形成されている。開口部５４ａには、小物入れパーツ５０を組み立てた状態では、円筒状の磁石５５が位置する。磁石５５は、表面磁束密度が３０００〜５０００ガウスの間から選択するとよい。実際に、４０００ガウスの磁石５５を用いて、プラスチックで作成したパーツを支柱９０に、取り付けた状態で、約２００ｇの物をパーツに載せても、パーツが脱落しなかった。磁石５５の側面には、磁力線の向きを支柱９０に直交する方向に調整する調整部材５７が被せてある。小物入れパーツ５０本体側には、磁石５５等の両脇の位置に、突起５４ａ，５４ｂが形成されている。着脱部５１側には、突起５４ｂに対応して収容部５４ａ’，５４ｂ’が形成されている。
【００４２】
ここで、本実施形態では、小物入れパーツ５０本体と着脱部５１との接続工程を、簡易かつ容易とするために、構造上の工夫を施してある。具体的には、溝部５４の開口部５４ａの形状を、小物入れパーツ５０における着脱部５１の取付面に平行な面での断面形状が矩形状となるようにしている。さらに、開口部５４ａの短手方向の長さが、磁石５５の直径未満となるようにしている。こうすると、開口部５４ａの長辺の両側で磁石５５が位置決めされるため、磁石５５を小物入れパーツ５０側に接着剤等を用いることなく取り付けすることができる。
【００４３】
図９は、図８の変形例を示す図である。ここでは、２つの磁石５５を用いている。小物収容部５２には、開口部５４ａの形成位置に対応する位置に磁石受け孔５６が形成されている。磁石受け孔５６には、円筒状の磁石５５と、磁石５５の側面に被せる磁力線の向きを支柱９０に直交する方向に調整する調整部材５７とが挿入される。各磁石５５は、使用時に支柱９０と並行になる態様で直線状に配置している。磁石５５は、例えば支柱９０側を基準としたときに、一方が例えばＳ極となり、他方が例えばＮ極となるようにしている。こうすると、磁力線の立ち上がりが垂直になるので、調整部材５７を用いることなく、磁力線の向きを調整することが可能になる。磁石受け５６の両側は、小物入れパーツ５０の軽量化のため、空洞としている。同様に、着脱部５１における溝部５４周辺も、空洞部分を形成している。
【００４４】
図１０は、図８の他の変形例を示す図である。図１０には、小物入れパーツ５０本体の溝部５４に、磁石５５を、接着剤等を用いて取り付けている。この磁石５５は、軸心付近が空洞である円柱状のものを、断面が扇形状となるようにカットすることで形成している。図８に示す場合に比して、支柱９０と小物入れパーツ５０側との接触面積が増えるので、小物入れパーツ５０が支柱９０から更に脱落しにくくなる。なお、図８等に示すように、着脱部５１を形成し、着脱部５１に溝部５４を形成するようにしてもよい。小物収容部５２等は、図８等を用いて説明したものと同様としている。
【００４５】
図１１は、図８の更なる変形例を示す図である。図１１には、小物入れパーツ５０本体の溝部５４に、磁石５５に代えて、支柱９０の直径に対応する湾曲部を有する板バネ５９を、接着剤等を用いて取り付けるようにしている。この例では、板バネ５９による把持力で、小物入れパーツ５０を支柱９０に取り付けるようにしている。これに加えて、小物入れパーツ５０の更なる脱落防止のために、板バネ５９には、支柱９０との粘着力を増やすべく、滑り止め用ゴム５８を、接着剤等を用いて取り付けるようにしている。
【００４６】
こうすると、支柱９０に小物入れパーツ５０を取り付ける際には、板バネ５９の端部を支柱９０に対して押し当てて行けばよい。これにより、端部が相互に押し広げられていく。その後、当該端部間の距離が支柱９０の直径幅を越えると、板バネ５９に元の形状に戻ろうとする力が働いているので、板バネ５９の湾曲部が支柱９０の側面を覆う態様で取り付けられることになる。なお、図８に示すように、着脱部５１を形成し、着脱部５１に溝部５４を形成するようにしてもよい。小物収容部５２等は、図８を用いて説明したものと同様としている。また、既述のように支柱９０をゴムで覆っている場合や、板バネ５９の湾曲部の製造精度或いは板バネ５９の復元力等が十分であるには、滑り止め用ゴム５８を特に用いなくてもよい。
【００４７】
図１２は、図１１の変形例を示す図である。図１２には、小物入れパーツ５０本体に長孔状の溝部５４ｂを形成し、ここに、湾曲部が板バネ５９と同形状であって、一断面が略μ字状のクリップ５９ａを、接着剤等を用いて取り付けるようにしている。この例では、この小物入れパーツ５０の支柱９０への取り付け原理は、図１１の場合と同様である。溝部５４ｂを形成する方が、図１０等に示す溝部５４を形成するよりも、簡易に済むことが多いというメリットがある。
【００４８】
また、クリップ５９ａには、滑り止め用ゴム５８を取り付けるようにしているが、図１１の場合と同様に、滑り止め用ゴム５８の取り付けは、必ずしも必要ではない。なお、図８に示すように、着脱部５１を形成し、着脱部５１に溝部５４ｂを形成するようにしてもよい。小物収容部５２等は、図８を用いて説明したものと同様としている。
【００４９】
図１３は、図８の別の変形例を示す図である。図１３には、小物入れパーツ５０本体に、支柱９０の大きさに対応する大きさの支柱通し５４ｆを形成し、支柱通し５４の中程に、これと直交するネジ受け５４ｃが形成した状態を示している。ネジ受け５４ｃには、スプリングワッシャー５４ｄを介して、ネジ５４ｅを固着することができる。実際には、ネジ５４ｅの先端を、支柱９０の側面に押し当てて、ネジ５４ｅ先端と支柱９０との接点により、支柱９０からの小物入れパーツ５０の脱落を防止している。
【００５０】
なお、支柱９０の側面に、ネジ５４ｅの先端の直径に対応する幅の溝を周状に形成する、又は、ネジ５４ｅの先端が収容される孔状の先端受けを形成するようにしてもよい。周状の溝を形成すると、上記の脱落防止の点で優れているのみならず、小物入れパーツ５０を、支柱９０を中心に回動可能になる。先端受けを形成すると、支柱９０に対する小物入れパーツ５０の、より強固な取り付けが可能になる。
【００５１】
図１４は、図８の他の変形例を示す図である。図１４には、支柱９０の直径に対応する曲部を有するフック部５６ｂと、フック部５６ｂの曲部に取り付けられている滑り止め用ゴム５６ｃと、フック部５６ｂの下側で支柱９０に対する滑り止め用ゴム５６ｃの接触位置と反対の位置で支柱９０と接触する支柱受け５６ａとを有する小物入れパーツ５０を示している。この例では、小物入れパーツ５０を、滑り止め用ゴム５６ｃと支柱受け５６ａとの２点で支え、この接点での摩擦力で小物入れパーツ５０を支柱９０に取り付けている。なお、支柱受け５６ａにも滑り止め用ゴムを取り付けると更に好ましい。図１４に示すような、小物入れパーツ５０は、ユーザが、支柱９０への取り付け位置を容易に変更できるという利点がある。
【００５２】
（実施形態２）
図１５は、本発明の実施形態２の組立式構造体１００を示す模式図である。図２には、支柱９０を用いることなく、複数のパーツ１０，２０，３０，４０を相互に直接連結する、平置きタイプの組立式構造体１００を示している。
【００５３】
図１５には、セロハンテープなどのテープを収容し、かつ、テープをカットするテープカッターパーツ１０と、名刺、メモ用紙などの紙を把持するペーパーホルダーパーツ２０と、クリップ入れパーツ３０と、鉛筆、シャープペンシル、マーカペン、万年筆、ボールペンなどのペンを収容するペン立てパーツ４０とを示している。
【００５４】
テープカッターパーツ１０は、外側面に形成されている凸部１１，１５及び凹１２と、上部に設けられている蓋部１３と、蓋部１３の端部に形成されているヒンジ部１８と、本体内部に収容されるテープ１４を回転させるためのリール部１７と、テープ１４をカットするカット部１６とを有する。なお、テープカッターパーツ１０の図示されていない２つの外側面にも、一対の凹部及び凸部が形成されていて、テープカッターパーツ１０を、例えば、ペーパーホルダーパーツ２０及びクリップ入れパーツ３０に対して連結することができる。
【００５５】
ペーパーホルダーパーツ２０は、実施形態１で説明したペーパーホルダーパーツ８０と同様の機能を備えており、紙を把持するスプリング２４と、スプリング２４に把持させる紙の出し入れのための開口部２５と、凹部２２と凸部２１，２３とを有する。ペーパーホルダーパーツ２０の図示しない外側面にも、開口部２５が形成されている面を除き、一対の凹部及び凸部が形成されていて、ペーパーホルダーパーツ２０を、例えば、テープカッターパーツ１０及びペン立てパーツ４０に対して連結することができる。
【００５６】
クリップ入れパーツ３０は、実施形態１で説明したクリップ入れパーツ６０と同様の機能を備えており、クリップ３６を収容するクリップ収容部３７と、上部に位置する蓋部３５と、凹部３２，３４と凸部３１，３３とを有する。クリップ入れパーツ３０の図示しない外側面にも、一対の凹部及び凸部が形成されていて、クリップ入れパーツ３０を、例えば、テープカッターパーツ１０及びペン立てパーツ４０に対して連結することができる。
【００５７】
ペン立てパーツ４０は、実施形態１で説明したペン立てパーツ７０と同様の機能を備えており、鉛筆などを収容する複数のペン収容部４１と、図示しない凹部及び凸部とを有する。ペン立てパーツ４０の外側面にも、一対の凹部及び凸部が形成されていて、ペン立てパーツ４０を、ペーパーホルダーパーツ２０及びクリップ入れパーツ３０に対して連結することができる。
【００５８】
ここでは、凹部と凸部とは相互に連結可能である。また、一対の凹部及び凸部の間隔は全て等しくしてある。このため、隣接するパーツ間の凸部と凹部とを装着することで、パーツを相互に連結することが可能になる。平置きタイプの組立式構造体１００の場合には、収容対象の重さを気にしなくてもよいため、パーツ等のサイズの選択自由度が大きくなるという利点がある。
【００５９】
なお、図１５では、平置きタイプの組立式構造体１００を示しているが、立て積みタイプのものとしてもよい。
【００６０】
図１６は、図１５に示す組立式構造体１００の変形例を示す図である。図１６には、パーツ１０の四辺に溝部１５〜１８を形成し、これらの中にこれらよりも若干小さい磁石１１〜１４を収容している。磁石１１〜１４は、溝部１５〜１８内で回転可能である。同様に、パーツ２０等の四辺にも、溝部２５〜２８と、磁石２１〜２４とを設けている。
【００６１】
例えば、パーツ１０とパーツ２０とを連結しようと近づけると、磁石１２，２４がそれぞれ溝部１６，２８内で回転して、パーツ１０に収容されている磁石１２の例えばＳ極と、パーツ２０に収容されている磁石２４の例えばＮ極とが対向するようになる。このような磁石１２，２４の向き関係により、パーツ１０とパーツ２０とが相互に引き合い、連結状態が実現できる。
【００６２】
ここで、図１５に示すように、凹部と凸部とを装着することでパーツを相互に連結する場合には、パーツ相互の着脱のたびに、凹部と凸部との接触部分が磨耗し、所要の連結を実現できなくなることも考えられる。しかし、図１６に示すように、磁力を利用してパーツを相互に連結する場合には、使用によって連結部分が磨耗するということがほとんどないという利点がある。
【産業上の利用可能性】
【００６３】
本発明は、種々の機能及び用途を備える収納家具などの分野での利用が考えられる。また、種々の機能及び用途の一例としては、例えば、文具、調味料、卓上利用可能な小型電気機器などが考えられる。
【図面の簡単な説明】
【００６４】
【図１】本発明の実施形態１の組立式構造体１００を示す模式図である。
【図２】図１に示す卓上タイプの組立式構造体の斜視図である。
【図３】図２に示す小物入れパーツ５０の斜視図、平面図及び側面図である。
【図４】図２に示すクリップ入れパーツ６０の斜視図、平面図及び側面図である。
【図５】図２に示すペン立てパーツ７０の斜視図、平面図及び側面図である。
【図６】図２に示すペーパーホルダーパーツ８０の斜視図、平面図及び側面図である。
【図７】図２に示す支柱９０及び土台９５の平面図及び側面図である。
【図８】図２に示す小物入れパーツ５０の分解斜視図である。
【図９】図８の変形例を示す図である。
【図１０】図８の変形例を示す図である。
【図１１】図８の更なる変形例を示す図である。
【図１２】図１１の変形例を示す図である。
【図１３】図８の別の変形例を示す図である。
【図１４】図８の他の変形例を示す図である。
【図１５】本発明の実施形態２の組立式構造体１００を示す模式図である。
【図１６】図１５に示す組立式構造体１００の変形例を示す図である。
【符号の説明】
【００６５】
５０  小物入れパーツ
６０  クリップ入れパーツ
７０  ペン立てパーツ
８０  ペーパーホルダーパーツ
９０  支柱
９５  土台
【図１】
2006175687.tif 000003
【図２】
2006175687.tif 000004
【図３】
2006175687.tif 000005
【図４】
2006175687.tif 000006
【図５】
2006175687.tif 000007
【図６】
2006175687.tif 000008
【図７】
2006175687.tif 000009
【図８】
2006175687.tif 000010
【図９】
2006175687.tif 000011
【図１０】
2006175687.tif 000012
【図１１】
2006175687.tif 000013
【図１２】
2006175687.tif 000014
【図１３】
2006175687.tif 000015
【図１４】
2006175687.tif 000016
【図１５】
2006175687.tif 000017
【図１６】
2006175687.tif 000018